(57)【特許請求の範囲】
【請求項１】
内周面の第１の領域に第１雌ヘリコイドが形成され、第２の領域に上記第１雌ヘリコイドと同一リード、且つ、溝深さが浅い第２雌ヘリコイドが形成された第１の枠と、
上記第１の枠に対し光軸方向には移動不能に、光軸周りに相対的に回動可能に支持される直進ガイド部材と、
上記直進ガイド部材に設けられた第１の係合爪、および、第２の係合爪と、
上記第１の枠の内周に周方向に沿って設けられ、上記第１の係合爪および上記第２の係合爪を光軸周りに該第１の枠に対し相対的に回動可能にガイドするガイド溝と、
上記第１の枠の一端壁面を切り欠いて設けられ、上記第１の係合爪を上記ガイド溝に挿入するための第１の爪挿入部と、
上記第１の枠の一端壁面を切り欠いて設けられ、上記第２の係合爪を上記ガイド溝に挿入するための第２の爪挿入部と、
上記第１の枠の内側に配され、それぞれが上記第１雌ヘリコイドおよび第２雌ヘリコイドが螺合する第１雄ヘリコイドおよび第２雄ヘリコイドを有する第２の枠と、
上記第１の枠の一端壁面を切り欠いて設けられ、上記第１雄ヘリコイドを上記第１雌ヘリコイドと螺合させるためのヘリコイド挿入部と、
を具備し、
上記第１の爪挿入部は、上記ヘリコイド挿入部内に形成され、
上記第２の係合爪は、上記第１の係合爪に対して円周方向で所定量離れた位置に配され、
上記第１の係合爪と第２の係合爪の一方が円周方向で上記ヘリコイド挿入部に対応する位置にある際には、他方は上記ヘリコイド挿入部外の位置にあることを特徴とするレンズ鏡筒。
【請求項２】
上記第１の爪挿入部と第２の爪挿入部とは、上記ヘリコイド挿入部の円周方向の幅よりも離間して配されることを特徴とする請求項１に記載のレンズ鏡筒。
【発明の詳細な説明】
【０００１】
【発明の属する技術分野】
本発明は、レンズ鏡筒の構造に関する。
【０００２】
【従来の技術】
従来、回転，進退可能なカム枠と、上記カム枠によって進退駆動されるレンズ枠を有するレンズ鏡筒として、図１０の縦断面図に示す従来のレンズ鏡筒がある。この従来のレンズ鏡筒５０は、固定枠５１と、カム枠５２と、第１群レンズ６５を保持する第１群枠（以下、１群枠と記載）５３と、第２群レンズ６６を保持するレンズ枠５９を進退可能に支持する第２群枠（以下、２群枠と記載）５４と、第３群レンズ６７を保持する第３群枠（以下、３群枠と記載）５５と、直進フロートキー５６を有してなる。
【０００３】
なお、上記２群枠５４には、シャッタ羽根６８が組み付けられ、これらのシャッタ羽根６８の押さえ部材となる羽根押さえ５８が装着されている。羽根押さえ５８と３群枠５５間には、進退移動ガタをなくすために圧縮バネ５７が挿入されている。
【０００４】
上記カム枠５２には、後端外周部に固定枠５１の雌ヘリコイド５１ａに螺合する雄ヘリコイド５２ａが設けられ、さらに、内周部に雌ヘリコイド５２ｂ、２組のカム溝５２ｃ，５２ｄと、内周部後端に直進フロートキー５６保持用の内周溝であるバヨネット溝５２ｈとが設けられている。なお、上記雌ヘリコイド５２ｂと、２組のカム溝５２ｃ，５２ｄとは、後述する図１１のカム枠内周面の展開図に示すように互いに交差する状態で配置されている。
【０００５】
上記１群枠５３には、その後端外周部にカム枠５２の雌ヘリコイド５２ｂに螺合する雄ヘリコイド５３ａが設けられる。上記２群枠５４には、外周部にカム枠５２のカム溝５２ｄに摺動自在に嵌入するカムフォロア６２が植設（固定支持）されている。上記３群枠５５には、外周部にカム枠５２のカム溝５２ｃに摺動自在に嵌入するカムフォロア６１が植設（固定支持）されている。上記直進フロートキー５６には、固定枠５１の直進ガイド溝５１ｂに摺動自在に嵌入する凸状の直進キー５６ｂと、カム枠５２のバヨネット溝５２ｈに摺動自在に嵌入するバヨネット爪５６ａとが設けられる。
【０００６】
上述した進退駆動機構を有するレンズ鏡筒５０においては、カム枠５２がレンズ鏡筒進退駆動部により回転駆動されると、カム枠５２は、回転しながら進退移動する。直進フロートキー５６は、回転するカム枠５２と共に光軸Ｏ方向に一体で、かつ、回転することなく進退移動する。１群枠５３，２群枠５４，３群枠５５は、上記直進フロートキー５６により回転規制されながらカム枠５２の回転，進退移動にともなって、それぞれ進退駆動される。
【０００７】
上記カム枠５２の内周部構造について、図１１〜１３を用いてさらに詳細に説明する。なお、図１１は、カム枠内周面の展開図であり、図１２は、図１１のＤ−Ｄ断面図であり、図１３は、カム枠５２のバヨネット爪，カムフォロアの挿入部を後端側から見た図である。
【０００８】
図１１に示すようにカム枠５２の内周面には、所定のリードの雌ヘリコイド５２ｂと、３組のカム溝５２ｃ，５２ｄと、後端面側にバヨネット溝５２ｈとが設けられる。さらに、カム枠５２のバヨネット溝５２ｈが設けられる後端面のリング状後端壁部５２ｊには、図１３に示すようにバヨネット爪５６ａを挿入するための６つの切り欠き状挿入部５２ｅとカムフォロア６１，６２を挿入するためのそれぞれ３つの切り欠き状挿入部５２ｆ，５２ｇが設けられている。カムフォロア６１，６２は、上記挿入部５２ｆ，５２ｇを通してカム溝５２ｃ，５２ｄに嵌入される。バヨネット爪５６ａは、挿入部５２ｅを通してバヨネット溝５２ｈに嵌入される。なお、この場合、カム枠５２の内周面５２ｉ（図１３）の内径と後端壁部５２ｊの内径とは、等しくなっている。
【０００９】
上記カム枠５２の雌ヘリコイド５２ｂは、内周面５２ｉからのネジ山高さ（谷底深さ）Ｈ0 を有している。雌ヘリコイド５２ｂに螺合する１群枠５３の雄ヘリコイド５３ａもネジ山高さ（谷底深さ）Ｈ0 と同一寸法とする。また、カム枠５２のカム溝５２ｃ，５２ｄは、内周面５２ｉからの溝深さＣ0 を有している。カム枠５２の周部の最小肉厚ｔ0 とする。外周面からカム溝が設けられる内周面５２ｉまでの厚みｄ0 は、Ｃ0 ＋ｔ0 となる。
【００１０】
上記カム枠５２の最小肉厚ｔ0 をもつの半径方向全肉厚（占有枠厚）Ｔ0 は、上記雌ヘリコイド５２ｂのネジ山高さＨ0 と上記外周面からカム溝の内周面５２ｉまでの厚みｄ0 とを加えた厚みとなる。すなわち、上記半径方向全肉厚Ｔ0 は、
Ｔ0 ＝Ｈ0 ＋ｄ0
である。上述したｄ0 ＝Ｃ0 ＋ｔ0 を代入すると、
Ｔ0 ＝Ｈ0 ＋Ｃ0 ＋ｔ0 …（１）
となる。なお、上述した図１０に示す従来のレンズ鏡筒と同様にカム枠内周面にヘリコイドとカム溝とが交差して配置された進退駆動機構を採用するものとして特開平６−６７０７６号公報に開示されたズームレンズ鏡筒の技術がある。
【００１１】
【発明が解決しようとする課題】
上述した図１０に示す従来のレンズ鏡筒５０においては、カム溝５２ｃ，５２ｄが上記雌ヘリコイド５２ｂとは、交差して配置されているがそれぞれ独立した形状で配置されている。したがって、最小肉厚ｔ0 を保ったカム枠５２の半径方向全肉厚（占有肉厚）Ｔ0 は、上記ネジ山高さＨ0 と上記内外周面厚みｄ0 とを単純に重畳させた肉厚となっており、十分な薄型化が図られた状態とはいえず、レンズ鏡筒が小型化されているとはいえない。
【００１２】
そこで、最小肉厚ｔ0 を保ちながらカム枠５３の全肉厚Ｔ0 を減じるために、もし、雌ヘリコイド５２ｂの谷底部を内周面５２ｉの肉厚部内に進入した形状とすることを考えた場合、カム枠５２のバヨネット溝５２ｈの後端壁部５２ｊ内に１群枠５３の雄ヘリコイド５３ａの先端部を挿入するための逃げ（切り欠き）が必要になる。しかし、このように後端壁部５２ｊ内に雄ヘリコイド５３ａを挿入するための逃げ部を設けると、直進フロートキー５６のバヨネット爪５６ａのための引っかかりが少なくなり、直進フロートキー５６が脱落するなどの不具合が生じる。
【００１３】
本発明は、直進フロートキー（直進ガイド部材）のバヨネット爪（係合爪）の引っかかりが少なくなることにより直進フロートキーが脱落する等の不具合を防止し、枠部材の肉厚を増すことなくレンズ鏡筒の小型化やコンパクト化を確保しつつ枠部材の進退駆動が確実に行われるレンズ鏡筒を提供することを目的とする。
【００１４】
【課題を解決するための手段】
本発明の第１のレンズ鏡筒は、内周面の第１の領域に第１雌ヘリコイドが形成され、第２の領域に上記第１雌ヘリコイドと同一リード、且つ、溝深さが浅い第２雌ヘリコイドが形成された第１の枠と、上記第１の枠に対し光軸方向には移動不能に、光軸周りに相対的に回動可能に支持される直進ガイド部材と、上記直進ガイド部材に設けられた第１の係合爪、および、第２の係合爪と、上記第１の枠の内周に周方向に沿って設けられ、上記第１の係合爪および上記第２の係合爪を光軸周りに該第１の枠に対し相対的に回動可能にガイドするガイド溝と、上記第１の枠の一端壁面を切り欠いて設けられ、上記第１の係合爪を上記ガイド溝に挿入するための第１の爪挿入部と、上記第１の枠の一端壁面を切り欠いて設けられ、上記第２の係合爪を上記ガイド溝に挿入するための第２の爪挿入部と、上記第１の枠の内側に配され、それぞれが上記第１雌ヘリコイドおよび第２雌ヘリコイドが螺合する第１雄ヘリコイドおよび第２雄ヘリコイドを有する第２の枠と、上記第１の枠の一端壁面を切り欠いて設けられ、上記第１雄ヘリコイドを上記第１雌ヘリコイドと螺合させるためのヘリコイド挿入部と、を具備し、上記第１の爪挿入部は、上記ヘリコイド挿入部内に形成され、上記第２の係合爪は、上記第１の係合爪に対して円周方向で所定量離れた位置に配され、上記第１の係合爪と第２の係合爪の一方が円周方向で上記ヘリコイド挿入部に対応する位置にある際には、他方は上記ヘリコイド挿入部外の位置にあることを特徴とする。
【００１５】
本発明の第２のレンズ鏡筒は、第１のレンズ鏡筒において、上記第１の爪挿入部と第２の爪挿入部とは、上記ヘリコイド挿入部の円周方向の幅よりも離間して配されることを特徴とする。
【００１７】
【発明の実施の形態】
以下、本発明の実施の形態を図を用いて説明する。
図１は、本発明の一実施形態であるレンズ鏡筒の分解斜視図であり、図２は上記レンズ鏡筒の縦断面図である。
【００１８】
図３は、上記レンズ鏡筒に組み込まれるカム枠と第１群枠と直進フロートキーを像側からみたときの分解斜視図である。
【００１９】
なお、以下の説明において、レンズ鏡筒の被写体側を前方とし、像側を後方とする。また、第１レンズ群，第２レンズ群，第３レンズ群で構成されるレンズの光軸を光軸Ｏとする。また、光軸Ｏ回りの回転方向は、被写体側から見たときの回転方向で示す。
【００２０】
本発明の一実施形態のレンズ鏡筒２０は、図１，２に示すようにカメラ本体等に固定支持された固定枠１と、この固定枠１内に嵌入し、回転且つ進退する第１の枠であるカム枠２と、このカム枠２内に嵌入され、光軸Ｏ方向に直進進退する第２の枠である第１群枠（以下、１群枠と記載）３と、この１群枠３内に嵌入され、直進進退する第３の枠である第２群枠（以下、２群枠と記載）４および第３群枠（以下、３群枠と記載）５と、光軸Ｏ方向に沿って直進進退する直進ガイド部材である直進フロートキー６とを有してなる。
【００２１】
さらに、上記レンズ鏡筒２０は、上記２群枠４と３群枠５との間に配置される圧縮バネ１０と、２群枠４に支持される羽根押さえ８，シャッタ羽根１８と、２群枠４により進退可能に支持されるフォーカス枠９と、上記直進フロートキー６に保持されるフレア絞り１３と、図示しないレンズ鏡筒駆動部からの回転駆動力をカム枠２に伝達する長尺のカム枠駆動ギヤ７と、上記１群枠３，フォーカス枠９，３群枠５にそれぞれ保持される複数の撮影レンズである第１，２，３群レンズ１５，１６，１７とを有してなる。
【００２２】
上記固定枠１は、環状部材であり、その内周部に雌ヘリコイド（ヘリコイドネジ）１ａと、光軸Ｏ方向に延びた３つの直進溝１ｃと、光軸Ｏ方向に延びた凹状のギヤ室１ｂとが設けられている。なお、上記ギヤ室１ｂには、長尺のカム枠駆動ギヤ７が回転自在に取り付けられる。
【００２３】
上記カム枠２は、環状部材であり、その後方の所定幅のリング状外周部２ａに固定枠１の雌ヘリコイド１ａの螺合する雄ヘリコイド（ヘリコイドネジ）２ｂと、カム枠駆動ギヤ７と噛合するギヤ部２ｃとが重畳して設けられる。カム枠２の内周面２ｐにそれぞれ同一リードを有する谷底が深い（標準歯形）３組の第１雌ヘリコイド（ヘリコイドネジ）２ｄ、および、谷底部が比較的浅い３組の第２雌ヘリコイド（ヘリコイドネジ）２ｅと、上記第２雌ヘリコイド２ｅに交差した状態で配置される各３本の２群カム溝２ｆ，３群カム溝２ｇが設けられる（図４）。
【００２４】
さらに、上記カム枠２の後端面にて上記内周面２ｐと同一径の内周面に沿って一端部であるリング状の後端壁部２ｑには、ヘリコイドのネジ山部バヨネット爪やカムフォロアを挿通させてカム枠２内部に挿入するための各切り欠き状挿入部として、ヘリコイド挿入部２ｈと、第１の爪挿入部であるバヨネット爪挿入部２ｉ，２ｉ′と、第２の爪挿入部であるバヨネット爪挿入部２ｊ，２ｊ′と、２，３群カムフォロア挿入部２ｋ，２ｍが配置される。また、後端壁部２ｑの内側内周に沿って、ガイド部であるバヨネット溝２ｎが設けられる。なお、上記バヨネット溝２ｎは、直進フロートキー６のバヨネット爪６ｇ，６ｇ′，６ｈ，６ｈ′が嵌入し、回転摺動する溝である。
【００２５】
このカム枠２は、固定枠１の内周部に嵌入し、カム枠駆動ギヤ７によりギヤ部２ｃを介して回転駆動されると、雌ヘリコイド１ａと雄ヘリコイド２ｂにより回転しながら光軸Ｏ方向に進退移動する。
【００２６】
なお、上記第１，２雌ヘリコイド２ｄ，２ｅと、２，３群カム溝２ｆ，２ｇと、各挿入部２ｈ，２ｉ，２ｊ，２ｉ′，２ｊ′，２ｋ，２ｍと、バヨネット溝２ｎ等の各形状と配置位置については、後で詳細に説明する。
【００２７】
上記１群枠３は、円筒形状の部材であって、その後方の所定幅のリング状外周部３ａに第１雄ヘリコイド３ｂ（３箇所）と、第２雄ヘリコイド３ｃ（３箇所）とが設けられる。また、１群枠３の内周部には、光軸Ｏ方向に沿って３本の直進溝３ｄが設けられる。上記第１雄ヘリコイド３ｂは、カム枠２の第１雌ヘリコイド２ｄに螺合する山部が高いヘリコイドネジであり、上記第２雄ヘリコイド３ｃは、カム枠２の第２雌ヘリコイド２ｅに螺合する山部が低いヘリコイドネジである。なお、上記第１，２雌ヘリコイド２ｄ，２ｅは、共に回転駆動力を伝達するが、特に第１雌ヘリコイド２ｄは、特に衝撃等の外力が作用したとき、螺合状態の外れを防止する機能も兼ねており、一方、第２雌ヘリコイド２ｅは、特に嵌合隙間からの光漏れを防止する機能も兼ねている。
【００２８】
この１群枠３は、直進フロートキー６の外周部にて、上記直進溝３ｄに嵌入する直進ガイド突起部６ａにより光軸Ｏ方向に進退自在に支持され、カム枠２の第１，２雌ヘリコイド２ｅ，２ｄにより進退駆動される。
【００２９】
上記２群枠４は、円筒形状の部材であって、その外周部に３つの光軸Ｏ方向への延出部４ａを有する。上記３つの延出部４ａには、それぞれにガイド突起部４ｂが設けられ、３つのガイド突起部４ｂにそれぞれカムフォロア１１が植設されている。上記カムフォロア１１は、カム枠２の２群カム溝２ｆに摺動自在に嵌入し、上記ガイド突起部４ｂは、後述する直進フロートキー６の直進ガイド溝６ｂに摺動自在に嵌入する。
【００３０】
この２群枠４は、直進フロートキー６の内周部にて、直進ガイド溝６ｂにより光軸Ｏ方向に進退自在に支持され、カムフォロア１１を介してカム枠２の２群カム溝２ｆにより進退駆動される。
【００３１】
上記３群枠５は、円板形状の部材であって、その外周部に３つの凸部５ａを有する。上記３つの凸部５ａには、それぞれにガイド突起部５ｂが設けられ、その３つのガイド突起部５ｂにそれぞれカムフォロア１２が植設されている。上記カムフォロア１２は、カム枠２の３群カム溝２ｇに摺動自在に嵌入し、上記ガイド突起部５ｂは、後述する直進フロートキー６の直進ガイド溝６ｃに摺動自在に嵌入する。
【００３２】
この３群枠５は、直進フロートキー６の内周部にて、直進ガイド溝６ｃにより光軸Ｏ方向に進退自在に支持され、カムフォロア１２を介してカム枠２の３群カム溝２ｇにより進退駆動される。
【００３３】
上記直進フロートキー６は、環状部材であって、その環状部材の後端フランジ部６ｄの外周部には、半径方向に突出する３つの突起状直進キー部６ｆが設けられている。また、上記後端フランジ部６ｄから所定距離前方に離間し、所定段差のある外周部６ｉ上には、上記後端リング部６ｄの外周径より低い高さを有する第１の係合部の３つの突起状バヨネット爪６ｇ，６ｇ′と、第２の係合部の３つの突起状バヨネット爪６ｈ，６ｈ′が設けられる。
【００３４】
さらに、直進フロートキー６には、上記外周部６ｉの前方の円環部に光軸Ｏ方向に沿う３つの直進ガイド突起部６ａと、内周側から外周に開口する３つの直進ガイド溝６ｂおよび３つの直進ガイド溝６ｃが設けられる。
【００３５】
なお、上記直進キー部６ｆは、固定枠１の直進溝１ｃに摺動自在に嵌入する。上記バヨネット爪６ｇ，６ｇ′と、バヨネット爪６ｈ，６ｈ′とは、カム枠２のバヨネット溝２ｎに摺動自在に嵌入し、バヨネット結合される。したがって、直進フロートキー６は、カム枠２に対して相対回転し、かつ、光軸Ｏ方向には一体的に駆動される。
【００３６】
上記圧縮バネ１０は、上記２群枠４と３群枠５との間に配置され、２，３群枠４，５を互いに離間する方向に常時付勢している。上記２，３群枠４，５は、上記付勢力を受けて各カムフォロアとカム溝の嵌合ガタが取り除かれた状態で進退移動する。
【００３７】
次に、カム枠２の内周面に形成される第１，２雌ヘリコイドと、２，３群カム溝と、バヨネット溝と、雄ヘリコイド，バヨネット爪，カムフォロアのための各挿入部２ｈ，２ｉ，２ｉ′，２ｊ，２ｊ′，２ｋ，２ｍ等の形状と配置について、図４〜９を用いて詳細に説明する。
図４は、上記カム枠の内周面の展開図である。図５は、図４のＡ−Ａ断面図であり、図６は、図４のＢ−Ｂ矢視図であり、図７は、図４のＣ−Ｃ矢視図である。図８，９は、上記カム枠の後端壁部を後方（像側）から見た図であり、直進フロートキーのバヨネット爪の相対位置も合わせて示した図である。そして、図８の状態と図９の状態とでは、上記バヨネット爪の相対位置が異なっている。
【００３８】
上記カム枠２の所定の内径寸法を有する内周面２ｐ上には、図４に示すようにヘリコイドのリードに沿って分割される第１の領域Ｒ１と第２の領域Ｒ２が交互にそれぞれ３領域づつ設けられる。第１の領域Ｒ１は、第２の領域Ｒ２より円周方向の幅の狭い領域とし、所定の間隔で配置されている。なお、本実施形態においては、円周方向にバランスよく配置するために、上記第１の領域Ｒ１と第２の領域Ｒ２は、それぞれ一定の間隔で配置されている。
【００３９】
そして、上記第１の領域Ｒ１には、第１雌ヘリコイド２ｄが配置される。上記第２の領域Ｒ２には、第２雌ヘリコイド２ｅと、２群カム溝２ｆ，３群カム溝２ｇとが交差した状態で配置されている。但し、第１，２雌ヘリコイド２ｄ，２ｅは、同一のリードを有する。
【００４０】
上記第１，２雌ヘリコイド２ｄ，２ｅおよび２，３群カム溝２ｆ，２ｇのヘリコイドリード直交断面（図４のＡ−Ａ断面）の形状は、図５に示される。
上記２，３群カム溝２ｆ，２ｇは、内周面２ｐに設けられる溝深さＣ0 のカム溝である。
【００４１】
第１雌ヘリコイド２ｄは、その谷底部２ｔがカム溝２ｆ，２ｇの深さＣ0 の溝底面と同径の周面上に内周面２ｐに沿ってに形成される。また、第１雌ヘリコイド２ｄの谷底部２ｔからネジ山頂点２ｒまでのネジ山高さＨ0 は、適用されるヘリコイドの標準歯形の山高さ寸法とする。
【００４２】
上記第２雌ヘリコイド２ｅは、内周面２ｐ上に設けられ、谷底部の位置は、内周面２ｐに一致させる。第２雌ヘリコイド２ｅのネジ山頂点２ｓと第１雌ヘリコイド２ｄのネジ山頂点２ｒとは、同径の周面上にある。したがって、第２雌ヘリコイド２ｅの谷底部（内周面２ｐに一致）からのネジ山頂点２ｓまでのネジ山高さは、第１雌ヘリコイド２ｄのネジ山高さＨ0 よりもカム溝深さＣ0 分だけ低く、寸法（Ｈ0 −Ｃ0 ）で与えられる。
【００４３】
上記カム枠２の半径方向の最小肉厚ｔ0 は、カム溝２ｆ，２ｇのカム溝底面、または、第１雌ヘリコイド２ｄの谷底部２ｔから外周面までの寸法となる。また、上記カム枠２の半径方向全肉厚（占有枠厚）Ｔ1 は、上記第１雌ヘリコイド２ｄのネジ山高さＨ0 と上記最小肉厚ｔ0 とを加えた寸法（Ｈ0 ＋ｔ0 ）で与えられる。すなわち、
Ｔ1 ＝Ｈ0 ＋ｔ0 …（２）
である。
【００４４】
なお、図５に示すようにカム枠２の上記第１，２雌ヘリコイド２ｄ，２ｅに螺合する１群枠３の第１，第２雄ヘリコイド３ｂ，３ｃの歯形も上述した第１，２雌ヘリコイド２ｄ，２ｅの歯形に対応した形状となる。
【００４５】
上記カム枠２の内周面２ｐの後端側には、図４に示すように内周方向に沿って所定幅のバヨネット溝２ｎと各挿入部が配置される後端壁部２ｑが設けられる。なお、後端壁部２ｑの内周面の径は、上記内周面２ｐの径と一致する。
【００４６】
上記バヨネット溝２ｎの深さは、内周面２ｐにカム溝２ｆ，２ｇや第１雌ヘリコイド２ｄの谷底部より僅かに深い溝であって、直進フロートキー６のバヨネット爪６ｇ，６ｈ，６ｇ′，６ｈ′が嵌入可能な深さとする。
【００４７】
上記後端壁部２ｑには、図３，４等に示すように切り欠き状の各挿入部としてカムフォロア挿入部２ｋ，２ｍと、ヘリコイド挿入部２ｈと、バヨネット爪挿入部２ｉ，２ｉ′，２ｊ，２ｊ′とが配置されている。
【００４８】
上記カムフォロア挿入部２ｋ，２ｍは、２，３群カム溝２ｆ，２ｇの挿入口側（後端側）対向位置に配置される２，３群枠４，５の３組のカムフォロア１１，１２が挿入可能なカムフォロア挿入部である。
【００４９】
上記ヘリコイド挿入部２ｈは、１群枠３の第１雄ヘリコイ３ｂが挿入可能な３つの挿入部であり、第１の領域Ｒ1 の第１雌ヘリコイド２ｄを後端側に延長した３等分位置に配置され、それぞれが第１雌ヘリコイド２ｄの占有幅（第１領域Ｒ1 の幅）の切り欠きである。
【００５０】
上記バヨネット爪挿入部２ｉ，２ｉ′，２ｊ，２ｊ′のうち、爪挿入部２ｉ，２ｊは、直進フロートキー６の二対で４つのバヨネット爪６ｇ，６ｈが挿入可能な二対で４つの挿入部（挿入口）である。また、爪挿入部２ｉ′，２ｊ′は、直進フロートキー６の２つのバヨネット爪６ｇ′，６ｈ′が挿入可能な一対で２つの挿入部（挿入口）である。そして、上記２つのバヨネット爪挿入部２ｉ、と１つのバヨネット爪挿入部２ｉ′とは、それぞれ上記３等分位置に等間隔に配置されるヘリコイド挿入部２ｈ内に重畳した状態で配置される。
【００５１】
なお、後述するようにバヨネット爪挿入部２ｉ、と２ｉ′とは、ヘリコイド挿入部２ｈに対する相対位置がずれている。また、バヨネット爪挿入部２ｉ，２ｊ，２ｉ′，２ｊ′の深さは、直進フロートキー６のバヨネット爪６ｇ，６ｈ，６ｇ′，６ｈ′の形状に対応して、ヘリコイド挿入部２ｈより僅かに深くなっている。そのため、直進フロートキー６がカム枠２に対して相対的に回転したとき、ヘリコイド挿入部２ｈ内にあるバヨネット爪６ｈ、または、６ｇ′，６ｈ′は、ヘリコイド挿入部２ｈの引っかかりが少ない部分でバヨネット溝２ｎから外れやすい状態にあり、また、バヨネット爪挿入部２ｉ，２ｉ′に一致したとき外れる可能性がある。
【００５２】
そこで、上記直進フロートキー６の相対回転で２対のバヨネット爪６ｇ，６ｈがバヨネット溝２ｎから脱落するのを防止するために、バヨネット爪６ｇ，６ｈが同時にヘリコイド挿入部２ｈ内に位置することがないようにバヨネット爪６ｇ，６ｈの配置間隔角度θ4 を決定する。すなわち、上記バヨネット爪６ｇ，６ｈの配置間隔角度θ4 は、ヘリコイド挿入溝２ｈの角度θ1 に関連して決定される（図８）。
【００５３】
上記バヨネット爪６ｇ，６ｈの爪幅角度θ2 ，θ3 とすると、
θ4 ≧θ1 ＋（θ2／２）＋（θ3／２）…（３）
を満足するようにバヨネット爪挿入部２ｉ，２ｊの配置間隔角度θ4 を決定する。θ3 ＝θ2 とすると、上記（３）式は、
θ4 ≧θ1 ＋θ2
となるが、配置間隔角度θ4 を最も狭い角度にするとすれば、
θ4 ＝θ1 ＋θ2  …（４）
となる。上記（４）を満足するようにバヨネット爪挿入部２ｉ，２ｊの配置間隔角度θ4 が定められる。
【００５４】
一方、他の１対のバヨネット爪挿入部２ｉ′，２ｊ′の配置角度θ4 もバヨネット爪６ｇ′，６ｈ′がバヨネット溝２ｎから脱落しないようにヘリコイド挿入部２ｈの角度θ1 に関連して同様の上記式（４）を満足するように決定される。
【００５５】
上述したように２つのバヨネット爪挿入部２ｉと１つのバヨネット爪挿入部２ｉ′とは、それぞれ３等分位置に等間隔に配置されるヘリコイド挿入部２ｈ内でそれぞれ相対位置がずれた位置に重畳した状態で配置される。このためにカム枠２に直進フロートキー６との組み立て時の嵌合位相関係が図８，９のように特定される。この嵌合位相特定によって、カム枠２に対する１群枠３，２群枠４，３群枠５の回転方向の嵌合位相が製品により変化せず、レンズ鏡筒の光学性能を安定させることができる。また、特定の嵌合位相でのみ組み付けが可能となるので、組み違えることがない
次に、上述した構成を有する本実施形態のレンズ鏡筒２０における組み込付けの手順の一例について説明する。なお、カム枠２は、固定枠２にヘリコイド結合され、カム枠駆動ギヤ７と噛合した状態で組み込まれているものとする。
そこで、１群枠３の第１雄ヘリコイド３ｂをカム枠２のヘリコイド挿入部２ｈから挿入し、カム枠２と１群枠３とをヘリコイド螺合状態とする。
【００５６】
次に、直進フロートキー６の直進ガイド溝６ｂ，６ｃに２群枠４，３群枠５のガイド突起部４ｂ，５ｂを摺動自在に挿入し、直進フロートキー６に２，３群枠４，５を組み込んだ状態とする。
【００５７】
続いて、カム枠２に嵌入している１群枠３の直進溝３ｄに上記直進フロートキー６の直進ガイド突起部６ａを挿入させながら直進フロートキー６を１群枠３の内周部に嵌入させ、さらに、２，３群枠４，５のカムフォロア１１，１２をカム枠２のカムフォロア挿入部２ｋ，２ｍから挿入し、カム枠２の２，３群カム溝２ｆ，２ｇに係合させる。その後、直進フロートキー６のバヨネット爪６ｇ，６ｈ，６ｇ′，６ｈ′をカム枠２のバヨネット爪挿入部２ｉ，２ｊ，２ｉ′，２ｊ′から挿入し、バヨネット溝２に係合させる。さらに、直進フロートキー６の直進キー６ｆを固定枠１の直進溝１ｃに嵌入させて、レンズ鏡筒２０の組み付けが完了する。
【００５８】
上述した本実施形態のレンズ鏡筒２０における進退動作について説明すると、カム枠２等の全ての枠部材が沈胴位置に繰り込まれている沈胴状態にて、カム枠２がカム枠駆動ギヤ７により回転駆動されると、カム枠２は、沈胴位置から撮影可能なワイド位置、さらに、テレ位置へと回転しながら繰り出される。カム枠２とともに直進フロートキー６が直進して繰り出される。１群枠３は、直進フロートキー６により回転が規制された状態でカム枠２と螺合状態にある第１，２雄ヘリコイド３ｂ，３ｃとにより沈胴位置から撮影可能なワイド位置、さらに、テレ位置に繰り出される。さらに、２，３群枠４，５も直進フロートキー６により回転が規制された状態で２，３群カム溝２ｆ，２ｇによってカムフォロア１１，１２がそれぞれ沈胴対応位置Ｐ11C ，Ｐ12C からワイド対応位置Ｐ11W ，Ｐ12W 、さらに、テレ対応位置Ｐ11T ，Ｐ12T に駆動されて（図４）、２，３群枠４，５は、沈胴位置から撮影可能なワイド位置、さらに、テレ位置へと繰り出される。
【００５９】
上述した構成を有する本実施形態のレンズ鏡筒２０によれば、カム枠２に設けられる第２雌ヘリコイド２ｅの谷深さを減らし、第２雌ヘリコイド２ｅとカム溝２ｆ，２ｇとを第２領域内で互いに交差した状態で配置している。この配置によって、カム枠２の径方向最小厚みｔ0 を確保した状態でのカム枠２の全肉厚Ｔ1 が（第１雌ヘリコイド２ｄの高さＨ0 ）＋（最小厚みｔ0 ）で与えられ、カム枠２の径方向占有枠厚みである上記全肉厚Ｔ1 を薄くすることができ、レンズ鏡筒２０の小型化が実現される。
なお、前述した従来のレンズ鏡筒５０では、カム枠５２の全肉厚Ｔ0 は、（雌ヘリコイド５２ｂの高さＨ0 ）＋（カム溝深さＣ0 ）＋（最小厚みｔ0 ）で与えられる。本実施形態におけるカム枠２の全肉厚Ｔ1は、上記従来のレンズ鏡筒のカム枠５２の全肉厚Ｔ0 よりカム溝深さＣ0 だけ薄くなっている。
【００６０】
しかも、カム枠２の第２領域における内周面２ｐの嵌合隙間からの光漏れが第２雌ヘリコイド２ｅで防止できる。また、外力が作用したときも山高さが高い（谷が深い）第１雌ヘリコイド２ｄにより螺合が外れる危険性が少ない。
【００６１】
さらに、上記２つのバヨネット爪６ｇと６ｈ、または、６ｇ′と６ｈ′をそれぞれ上記所定の角度θ4 だけ開いた状態で配置することにより、直進フロートキー６の対になって設けられるバヨネット爪６ｇと６ｈ、または、６ｇ′と６ｈ′のうち、一方のバヨネット爪６ｈ、または、６ｈ′がカム枠２のバヨネット爪挿入部２ｉ、または、２ｉ′内にあるとき、他方のバヨネット爪６ｇ、または、６ｇ′は、ヘリコイド挿入部２ｈ外のバヨネット溝２ｎに位置している。したがって、バヨネット爪６ｇ，６ｇ′がバヨネット溝２ｎから外れることが確実に防止される。
【００６２】
上述した本発明によれば、
（１）  内周面の第１の領域に第１雌ヘリコイドが形成され、第２の領域に上記第１雌ヘリコイドと同一リード、且つ、溝深さが浅い第２雌ヘリコイドが形成された第１の枠と、
上記第１の枠に対し光軸方向には移動不能に、光軸周りに回動可能に支持される直進ガイド部材と、
上記直進ガイド部材に設けられた第１の係合爪、および、第２の係合爪と、
上記第１の枠に設けられ上記第１の係合爪および上記第２の係合爪を光軸周りに上記第１の枠に対し相対的に回動可能にガイドするガイド部と、
上記第１の枠の一端部に設けられ上記第１の係合爪を上記ガイド部に挿入するための第１の爪挿入部と、
上記第１の枠の一端部に設けられ上記第２の係合爪を上記ガイド部に挿入するための第２の爪挿入部と、
上記第１の枠の内側に配され、それぞれが上記第１雌ヘリコイドおよび第２雌ヘリコイドが螺合する第１雄ヘリコイドおよび第２雄ヘリコイドを有する第２の枠と、
上記第１の枠の一端部に設けられ、上記第１雄ヘリコイドを上記第１雌ヘリコイドと螺合させるためのヘリコイド挿入部と、
を具備し、上記第１の爪挿入部は、上記ヘリコイド挿入部内に形成され、上記第１の係合爪と第２の係合爪および第１の爪挿入部と第２の爪挿入部は、それぞれ円周方向に３個設けられることを特徴とするレンズ鏡筒を提案することができる。
【００６３】
（２）  上記第１の爪挿入部と第２の爪挿入部およびヘリコイド挿入部は、上記第１の枠の一端部に設けられた溝部からなることを特徴とする上記（１）記載のレンズ鏡筒を提案することができる。
【００６４】
（３）  上記第１の爪挿入部と第２の爪挿入部の溝深さは、上記ヘリコイド挿入部の溝深さよりも深いことを特徴とする上記（２）記載のレンズ鏡筒を提案することができる。
【００６５】
（４）  上記第１の爪挿入部と第２の爪挿入部の円周方向の溝幅は、上記ヘリコイド挿入部の円周方向の溝幅よりも狭いことを特徴とする上記（２）、または、（３）記載のレンズ鏡筒を提案することができる。
【００６６】
【発明の効果】
以上、説明したように本発明によれば、本発明は、直進フロートキー（直進ガイド部材）のバヨネット爪（係合爪）の引っかかりが少なくなることにより直進フロートキーが脱落する等の不具合を防止し、枠部材の肉厚を増すことなくレンズ鏡筒の小型化やコンパクト化を確保しつつ枠部材の進退駆動が確実に行われるレンズ鏡筒を提供することができる。
【図面の簡単な説明】
【図１】本発明の一実施の形態のレンズ鏡枠の分解斜視図。
【図２】上記図１のレンズ鏡筒の縦断面図。
【図３】上記図１のレンズ鏡筒のカム枠と１群枠と直進フロートキーの分解斜視図である。
【図４】上記図１のレンズ鏡筒のカム枠の内周面の展開図である。
【図５】上記図４のＡ−Ａ断面図である。
【図６】上記図４のＢ−Ｂ矢視図である。
【図７】上記図４のＣ−Ｃ矢視図である。
【図８】上記図１のレンズ鏡筒のカム枠を像側から見た図であって、直進フロートキーを挿入直後の状態を示す。
【図９】上記図１のレンズ鏡筒のカム枠を像側から見た図であって、図８に示す状態からさらに直進フロートキーが相対回動した状態を示す。
【図１０】従来のレンズ鏡筒の縦断面図である。
【図１１】上記図１０の従来のレンズ鏡筒のカム枠の内周面の展開図である。
【図１２】上記図１１のＤ−Ｄ断面図である。
【図１３】上記図１０の従来のレンズ鏡筒のカム枠を像側から見た図である。
【符号の説明】
２  …カム枠（第１の枠）
２ｄ…第１雌ヘリコイド（雌ヘリコイド）
２ｅ…第２雌ヘリコイド（雌ヘリコイド）
２ｈ…ヘリコイド挿入部
２ｉ，２ｉ′…バヨネット爪挿入部（第１の爪挿入部）
２ｊ，２ｊ′…バヨネット爪挿入部（第２の爪挿入部）
２ｎ…バヨネット溝（ガイド部）
２ｑ…後端壁部（第１の枠の一端部）
３  …１群枠（第２の枠）
６  …直進フロートキー（直進ガイド部材）
６ｇ，６ｇ′…バヨネット爪（係合爪，第１の係合爪）
６ｈ，６ｈ′…バヨネット爪（係合爪，第２の係合爪）
Ｒ1 …第１の領域
Ｒ2 …第２の領域
【図１】
0003954408.tif 000002
【図２】
0003954408.tif 000003
【図３】
0003954408.tif 000004
【図４】
0003954408.tif 000005
【図５】
0003954408.tif 000006
【図６】
0003954408.tif 000007
【図７】
0003954408.tif 000008
【図８】
0003954408.tif 000009
【図９】
0003954408.tif 000010
【図１０】
0003954408.tif 000011
【図１１】
0003954408.tif 000012
【図１２】
0003954408.tif 000013
【図１３】
0003954408.tif 000014